(57)【要約】【課題】携帯型電子機器の出し入れが容易であり且つ携帯型電子機器の具備する表示部のクリーニング機能を有する携帯型電子機器の保護ケースを提供すること。【解決手段】携帯型電子機器の保護ケース１２に、ユーザーによって所定の手動操作が行われると該手動操作に応答して当該携帯型電子機器の保護ケース１２に収納されている上記カメラ１０の表示手段８に付着した汚れを除去するクリーニング部材１４を具備させる。【選択図】      図２
2008042337.tif 000002
【特許請求の範囲】
【請求項１】
表示部を具備する携帯型電子機器の保護ケースであって、
ユーザーによって所定の手動操作が行われると該手動操作に応答して、当該携帯型電子機器の保護ケースに収納されている上記携帯型電子機器の上記表示部に付着した汚れを除去するクリーニング手段を具備することを特徴とする携帯型電子機器の保護ケース。
【請求項２】
上記表示部の表面には光触媒がコートされており、
上記光触媒が作用する波長の光を発生する光源を更に具備し、
上記光源によって上記表示部の表面に光が照射されると、上記光触媒の作用により上記表示部の表面の付着物が除去されることを特徴とする請求項１に記載の携帯型電子機器の保護ケース。
【請求項３】
上記クリーニング手段は、ユーザーによって上記所定の手動操作が行なわれている間だけ、上記表示部の表面に密着し且つ上記表示部の表面の付着物を除去することを特徴とする請求項１に記載の携帯型電子機器の保護ケース。
【請求項４】
表示部を具備する携帯型電子機器の保護ケースであって、
上記表示部を視認可能な開口部と、
上記開口部に隣接配置された壁部と、
を具備したことを特徴とする携帯型電子機器の保護ケース。
【請求項５】
表示部を具備する携帯型電子機器の保護ケースであって、
上記表示部を視認可能な開口部と、
使用者の指をクリーニング可能なクリーニング部材と、
を具備したことを特徴とする携帯型電子機器の保護ケース。
【発明の詳細な説明】
【技術分野】
【０００１】
本発明は、携帯型電子機器の保護ケースに関する。
【背景技術】
【０００２】
デジタルカメラ等の携帯型電子機器のユーザーを対象とした調査によれば、携帯型電子機器の具備する液晶表示パネル等の表示部の大型化及び高精細化に伴って、表示部の傷や汚れを防ぐ為の対策を要望する声が近年増加している。
【０００３】
このような事情に鑑みて種々の技術が提案されており、例えば、特許文献１乃至特許文献３には、以下のような技術が開示されている。
【０００４】
まず、特許文献１には、液晶表示パネルである液晶表示部に対し、開閉可能な液晶保護カバーを設けた液晶表示カメラが開示されている。また、特許文献２には、表示部の傷や汚れを防ぐ為の技術ではないが、撮像レンズの傷や汚れを防ぐ為の技術として、撮像レンズを保護するレンズバリアに、当該レンズバリアの開閉の際にレンズカバーガラス（撮像レンズをカバーする部材）を掃く為のワイパーを設けた撮像装置が開示されている。そして、特許文献３には、携帯型電子機器の収納ケースであって、開口部にクリーニング材を設けることによって、当該収納ケースに電子機器を出し入れする際に、該電子機器の具備する表示部と上記クリーニング材とが接触して上記表示部の汚れが除去されるクリーニング材付き収納ケースが開示されている。
【特許文献１】特許第３３５９５２０号公報
【特許文献２】特開２００３−２１９２３７号公報
【特許文献３】特開平１１−２９９５２１号公報
【発明の開示】
【発明が解決しようとする課題】
【０００５】
しかしながら、上記特許文献１及び上記特許文献２に開示されている技術は、何れも装置構成の複雑化及び大型化を招く為、未だに実用化に至っていない。また、上記特許文献３に開示されたクリーニング材付き収納ケースにおいては、その開口部の寸法を、当該クリーニング材付き収納ケースに携帯型電子機器を出し入れする際に上記クリーニング材が上記携帯型電子機器の表示部に密着するような寸法としなければならない。そして、そのような寸法の開口部では、当該クリーニング材付き収納ケースに携帯型電子機器を出し入れしにくいという問題が発生する。
【０００６】
本発明は、上記の事情に鑑みてなされたもので、携帯型電子機器の出し入れが容易であり且つ携帯型電子機器の具備する表示部のクリーニング機能を有する携帯型電子機器の保護ケースを提供することを目的とする。
【課題を解決するための手段】
【０００７】
上記の目的を達成するために、本発明の第１の態様による携帯型電子機器の保護ケースは、表示部を具備する携帯型電子機器の保護ケースであって、ユーザーによって所定の手動操作が行われると該手動操作に応答して、当該携帯型電子機器の保護ケースに収納されている上記携帯型電子機器の上記表示部に付着した汚れを除去するクリーニング手段を具備することを特徴とする。
【０００８】
上記の目的を達成するために、本発明の第２の態様による携帯型電子機器の保護ケースは、表示部を具備する携帯型電子機器の保護ケースであって、上記表示部を視認可能な開口部と、上記開口部に隣接配置された壁部と、を具備したことを特徴とする。
【０００９】
上記の目的を達成するために、本発明の第３の態様による携帯型電子機器の保護ケースは、表示部を具備する携帯型電子機器の保護ケースであって、上記表示部を視認可能な開口部と、使用者の指をクリーニング可能なクリーニング部材と、を具備したことを特徴とする。
【発明の効果】
【００１０】
本発明は、携帯型電子機器の出し入れが容易であり且つ携帯型電子機器の具備する表示部のクリーニング機能を有する携帯型電子機器の保護ケースを提供することができる。
【発明を実施するための最良の形態】
【００１１】
以下、携帯型電子機器としてカメラを想定して、本発明の各実施形態に係る携帯型電子機器の保護ケースを説明する。
【００１２】
［第１実施形態］
図１は本第１実施形態に係る携帯型電子機器の保護ケースのシステム構成、及び本第１実施形態に係る携帯型電子機器の保護ケースに収納するカメラのシステム構成を示すブロック図である。
【００１３】
図１に示すように、本第１実施形態に係る携帯型電子機器の保護ケース１２は、外部電源（外部電池）１１ａと、クリーニング部材１４とを具備する。また、本第１実施形態に係る携帯型電子機器の保護ケースに収納するカメラは、ＭＰＵ（Ｍｉｃｒｏ  Ｐｒｏｃｅｓｓｉｎｇ  Ｕｎｉｔ）１と、レリーズボタン１ａと、操作スイッチ１ｂと、電源スイッチ１ｃと、撮影レンズ２と、撮像素子３と、ＡＦＥ（Ａｎａｌｏｇｕｅ  Ｆｒｏｎｔ  Ｅｎｄ）手段４と、画像処理回路５と、顔検出手段５ａと、圧縮手段６と、記録制御手段７ａと、表示手段８と、表示制御手段８ａと、電源回路１１とを具備する。また、撮影によって取得した画像データ等を記録する手段として、記録メディア７を用いる。
【００１４】
まず、本第１実施形態に係る携帯型電子機器の保護ケースに収納するカメラのシステム構成を詳細に説明する。
【００１５】
上記ＭＰＵ１は、マイクロコントローラ等から成る制御手段である。そして、上記ＭＰＵ１には、上記レリーズボタン１ａ、上記操作スイッチ１ｂ、及び上記電源スイッチ１ｃが接続されている。
【００１６】
ここで、上記レリーズボタン１ａは、レリーズ操作の為のスイッチである。上記操作スイッチ１ｂは、撮影モードや再生モードの切り替え等の各種操作を行う為のスイッチである。上記電源スイッチ１ｃは、当該カメラの電源をＯＮまたはＯＦＦする為のスイッチである。ユーザーによる各種操作は、上記レリーズボタン１ａ、上記操作スイッチ１ｂ、または上記電源スイッチ１ｃによって検出され、上記ＭＰＵ１が、上記各種操作に従って、当該カメラにおける各構成部材をシーケンシャルに制御する。
【００１７】
ところで、上記撮影レンズ２を介して当該カメラに入射した被写体２０の像は、多数の受光面（画素）から成るＣＣＤやＣＭＯＳセンサ等である上記撮像素子３によって電気信号に変換される。
【００１８】
ここで、上記撮像素子３の取得した電気信号は、上記ＡＦＥ手段４によって読み出されてＡ／Ｄ変換等が施され、デジタル画像信号である画像データとなる。なお、露出レベルの切り換えの制御も、上記ＡＦＥ手段４によって行われる。また、上記ＡＦＥ手段４は、上記撮像素子３の出力する電気信号を取捨選択する機能も有しており、上記撮像素子３における全受光面中から特定の画素データのみを抽出することが出来る。
【００１９】
ところで、上記ＡＦＥ手段４によって生成された上記画像データは、上記画像処理回路５に入力される。上記画像データは、上記画像処理回路５によって、色、階調、及びシャープネスの補正処理を施され、上記圧縮手段６へ出力される。
【００２０】
なお、上記画像処理回路５は、リサイズ手段５ｂを有している。このリサイズ手段５ｂは、上記ＡＦＥ手段４から入力された画像データを、上記表示手段８における表示に適したサイズにリサイズする手段である。ここで、上記表示手段８は、上記表示制御手段８ａによって表示制御される。ユーザーは、上記表示手段８に表示される画像データを参照して、撮影時に構図及び撮影タイミング等を決定することができる。
【００２１】
上記画像処理回路５から上記圧縮手段６に出力された上記画像データは、上記圧縮手段６によって圧縮処理される。ここで、上記圧縮手段６は、ＪＰＥＧなど静止画像用の圧縮処理を行うＳ圧縮手段６ａと、ＭＰＥＧ４やＨ．２６４等の動画像用の圧縮処理を行うＭ圧縮手段６ｂとを有する。そして、上記圧縮手段６によって圧縮された上記画像データは、上記ＭＰＵ１によって、上記記録制御手段７ａを介して上記記録メディア７に記録される。
【００２２】
なお、このようにして上記記録メディア７に記録された画像データは、その再生表示の際には、上記圧縮手段６によって解凍され、上記表示制御手段８ａによって上記表示手段８に再生表示される。
【００２３】
ところで、上記顔検出手段５ａは、上記画像処理回路５から入力された画像データを分析して、人間の顔の特徴（目鼻や輪郭等）を検出し、当該画像データの被写体中に人物がいるか否かの判定、及び当該画像データの被写体中に人物がいる場合にはその顔の位置や大きさ等の判定を行う。この顔検出手段５ａの判定結果を利用することで、被写体中の人物の顔部に重点をおいたピント合わせ及び露出制御をすることができる。
【００２４】
また、上記電源回路１１は、当該カメラにおける各構成部材に適切な電圧及び電流を供給する為の電源回路である。上記電源回路１１は、電池、ＤＣＤＣコンバーター、及びノイズ安定化の為の回路等を含む。
【００２５】
次に、本第１実施形態に係る携帯型電子機器の保護ケースの構成を説明する。
【００２６】
上記クリーニング部材１４は、上記表示手段８をクリーニングする為の部材である（詳しくは後述する）。また、上記外部電源１１ａは、上記電源回路１１に電源を供給する為の電源である。なお、上記外部電源１１ａは、本第１実施形態に係る携帯型電子機器の保護ケースに必須の構成部材ではなく、後述する本発明の第３実施形態に係る携帯型電子機器の保護ケースが具備する構成部材である。
【００２７】
以下、図２（ａ）乃至（ｃ）を参照して、本第１実施形態に係る携帯型電子機器の保護ケースの構成を説明する。ここで、図２（ａ）は、本第１実施形態に係る携帯型電子機器の保護ケース１２に、図１を参照して説明したカメラ１０を収納する様子を示す図である。また、図２（ｂ）及び（ｃ）は、正置時における本第１実施形態に係る携帯型電子機器の保護ケース１２を上面側から見た場合の断面図である。
【００２８】
図２（ａ）に示すように、本第１実施形態に係る携帯型電子機器の保護ケース１２は、上記カメラ１０の具備する上記表示手段８を露出させる為の窓であるシャッター部１４ｂと、該シャッター部１４ｂに設けられているつまみ部１４ａと、該つまみ部１４ａの裏側（当該携帯型電子機器の保護ケースに収納された上記カメラ１０の上記表示手段８と接する側）に設けられたクリーニング部材１４と、上記シャッター部１４ｂに接着剤等によって固着されているグリップ部１４ｃと、を具備する。
【００２９】
上記シャッター部１４ｂ及び上記グリップ部１４ｃは、図２（ａ）に示すように、当該携帯型電子機器の保護ケース１２に収納された上記カメラ１０の上記表示手段８をカバーし得る柔軟なシート状の部材である。また、上記グリップ部１４ｃの一端（上記シャッター部１４ｂに固着されていない側の端）は、図２（ｂ）及び（ｃ）に示すように、当該携帯型電子機器の保護ケース１２の前面部１２Ａにおける所定の位置に、接着剤等によって固着されている。
【００３０】
ここで、上記シャッター部１４ｂは、図２（ｃ）において矢印１００で示す方向に上記つまみ部１４ａがずらされることで開く（図２（ｃ）に示すように上記表示手段８が当該携帯型電子機器の保護ケース１２から露出される）。
【００３１】
一方、上記シャッター部１４ｂは、図２（ｂ）において矢印１０５で示す方向に上記つまみ部１４ａがずらされることで閉じる（図２（ｂ）に示すように上記表示手段８が上記シャッター部１４ｂによって保護される）。
【００３２】
このような構造によれば、図２（ｂ）及び（ｃ）に示すように、上記つまみ部１４ａが矢印１００または矢印１０５で示す方向にずらされる際に、上記クリーニング部材１４によって上記表示手段８のクリーニングが行われる。そして、この時図２（ｃ）に示すように上記グリップ部１４ｃは上記前面部１２Ａ側において隆起し、この隆起した上記グリップ部１４ｃによって当該携帯型電子機器の保護ケース１２はユーザーにとって保持しやすい形状となる。換言すれば、ユーザーは、隆起した上記グリップ部１４ｃを握る等して、上記カメラ１０が収納された当該携帯型電子機器の保護ケース１２を把持することができる。
【００３３】
したがって、上記グリップ部１４ｃには、隆起した際にユーザーに握られた場合であっても該隆起した部分が潰れないように、例えばゴム等の弾性部材で形成した支持部材を設けてもよい。また、上記グリップ部１４ｃに、例えば円筒形状の出っ張り部分を持たせるなどして、更にユーザーによるグリップ感を高めても良い。
【００３４】
以上説明したように、本第１実施形態によれば、携帯型電子機器の出し入れが容易であり且つ携帯型電子機器の具備する表示部のクリーニング機能を有する携帯型電子機器の保護ケースを提供することができる。
【００３５】
具体的には、本第１実施形態に係る携帯型電子機器の保護ケース１２に収納された上記カメラ１０の上記表示手段８は、上記シャッター部１４ｂの開閉に伴って、上記クリーニング部材１４によってクリーニングされる。これにより、ユーザーは、常にクリーニングされた上記表示手段８を観察することができる。
【００３６】
また、図２（ａ）乃至（ｃ）を参照して説明したように、本第１実施形態に係る携帯型電子機器の保護ケース１２では、上記グリップ部１４ｃを設けることで、ユーザーによるホールディング性の向上も実現した。
【００３７】
［第２実施形態］
本第２実施形態に係る携帯型電子機器の保護ケースのシステム構成は、図１を参照して説明した上記第１実施形態に係る携帯型電子機器の保護ケースのシステム構成と同様である。しかしながら、上記第１実施形態に係る携帯型電子機器の保護ケースと、本第２実施形態に係る携帯型電子機器の保護ケースとは、その構造が異なる。
【００３８】
以下、図３（ａ）乃至（ｃ）を参照して、本第２実施形態に係る携帯型電子機器の保護ケースを説明する。ここで、図３（ａ）は、本第２実施形態に係る携帯型電子機器の保護ケースの外観、及び本第２実施形態に係る携帯型電子機器の保護ケースに収納するカメラ１０の外観を示す図である。また、図３（ｂ）及び（ｃ）は、正置時における本第２実施形態に係る携帯型電子機器の保護ケース１２を上面側から見た場合の断面図である。
【００３９】
まず、図３（ａ）に示すように、本第２実施形態に係る携帯型電子機器の保護ケース１２は、蓋部１２ａと、折り返し部１２ｂと、クリーニング部材１４と、を具備する。
【００４０】
ここで、上記蓋部１２ａ及び上記折り返し部１２ｂは、上記カメラ１０が当該携帯型電子機器の保護ケース１２に収納された時に、当該携帯型電子機器の保護ケース１２から滑り落ちないようにする為の部材である。
【００４１】
具体的には、上記蓋部１２ａは、当該携帯型電子機器の保護ケース１２における背面部１２Ｂに一体的に接続して設けられており、当該携帯型電子機器の保護ケース１２における上記カメラ１０を封入する為の開口部に対する蓋の機能を担う部材である。
【００４２】
また、上記折り返し部１２ｂは、上記蓋部１２ａに対して一体的に接続して設けられた部材であり、当該携帯型電子機器の保護ケース１２が上記蓋部１２ａによって蓋をされた状態になった後、図３（ｃ）に示すように当該携帯型電子機器の保護ケース１２における前面部１２Ａ側に折り返されることによって、上記蓋部１２ａが上記開口部から外れるのを防ぐ部材である。
【００４３】
なお、上記折り返し部１２ｂと上記前面部１２Ａとの当接部分には、それぞれの部材に例えばマジックテープ（登録商標）等を設けることで、密着性を確保しても勿論よい。
【００４４】
そして、上記蓋部１２ａにおける裏面側（当該携帯型電子機器の保護ケース１２に上記カメラ１０を収納する際に、上記表示手段８と接触する側）には、図３（ａ）乃至（ｃ）に示すように、マジックテープ１４０によって、上記クリーニング部材１４が着脱可能に設けられている。ここで、上記クリーニング部材１４における上記表示手段８と接触する面は、例えば眼鏡拭き等に使用されている素材で構成されている。
【００４５】
このような構造によれば、図３（ｂ）に示すように、当該携帯型電子機器の保護ケース１２へ上記カメラ１０を収納する際、及び当該携帯型電子機器の保護ケース１２から上記カメラ１０を取り出す際には、上記クリーニング部材１４によって、上記表示手段８の汚れが拭き取られる。つまり、当該携帯型電子機器の保護ケース１２によれば、収納する上記カメラ１０の上記表示手段８を、常にクリーニングされた状態に保つことができる。
【００４６】
さらに、上記クリーニング部材１４は、上述したように上記マジックテープ１４０によって上記蓋部１２ａに対して着脱可能となっている為、上記クリーニング部材１４に汚れが付着してクリーニング部材としての機能を失った場合には、上記蓋部１２ａから取り外して洗濯したり、新たなクリーニング部材１４に取り替えたりすることができる。
【００４７】
以上説明したように、本第２実施形態によれば、携帯型電子機器の出し入れが容易であり且つ携帯型電子機器の具備する表示部のクリーニング機能を有する携帯型電子機器の保護ケースを提供することができる。
【００４８】
［第３実施形態］
本第３実施形態に係る携帯型電子機器の保護ケースのシステム構成は、図１を参照して説明した上記第１実施形態に係る携帯型電子機器の保護ケースのシステム構成と同様である。しかしながら、上記第１実施形態及び上記第２実施形態に係る携帯型電子機器の保護ケースと、本第３実施形態に係る携帯型電子機器の保護ケースとは、その構造が異なる。
【００４９】
なお、本第３実施形態に係る携帯型電子機器の保護ケースによれば、カメラを収納したままの状態にて写真撮影が可能となる。
【００５０】
以下、図４を参照して、本第３実施形態に係る携帯型電子機器の保護ケースを説明する。ここで、図４は、正置時における本第３実施形態に係る携帯型電子機器の保護ケース１２を上面側から見た場合の断面図である。なお、上記第１実施形態または上記第２実施形態に係る携帯型電子機器の保護ケースにおける構成部材と同様の構成部材に関しては、同様の名称及び符号を付して説明を省略する。
【００５１】
まず、本第３実施形態に係る携帯型電子機器の保護ケース１２の前面部１２Ａには、撮影用開口部１２Ｃが設けられている。この撮影用開口部１２Ｃは、上記前面部１２Ａのうち当該携帯型電子機器の保護ケース１２に収納されたカメラ１０の撮影レンズ２に対向する箇所に設けられている。
【００５２】
また、背面部１２Ｂには、観察用開口部１２Ｄが設けられている。この観察用開口部１２Ｄは、上記背面部１２Ｂのうち当該携帯型電子機器の保護ケース１２に収納された上記カメラ１０の表示手段８に対向する箇所に設けられている。
【００５３】
なお、上記観察用開口部１２Ｄに透明なシート状の部材を設けることで、上記表示手段８に汚れやユーザーの指紋等が付着するのを防いでも良い。この場合、画像鑑賞時には上記表示手段８に表示される画像等の見やすさを優先する為に、当該携帯型電子機器の保護ケース１２から上記カメラ１０を取り出しても良い。
【００５４】
さらに、上記表示手段８にユーザーの指が不用意に触れてしまうのを防ぐ為に、上記背面部１２Ｂには、図４に示すように上記観察用開口部１２Ｄに近接した箇所に壁１２ｄが設けられている。ここで、図示はしていないが、正置時の当該携帯型電子機器の保護ケース１２の上面のうち上記カメラ１０の具備するレリーズボタン１ａに対向する箇所にも開口部が設けられている。
【００５５】
また、本第３実施形態においては、上記折り返し部１２ｂは、ユーザーが把持しやすいように、上記第２実施形態におけるそれに比べて、大きく且つ丸みを帯びた形状として構成されている。さらに、上記折り返し部１２ｂ内部には、図４に示すように外部電源１１ａ及び電極１１ｂが着脱可能となっている。ここで、上記折り返し部１２ｂに上記外部電源１１ａ及び上記電極１１ｂが装着されると、上記電極１１ｂを介して上記外部電源１１ａによって上記カメラ１０の上記電源１１に電力を供給することができる。つまり、上記カメラ１０の撮影時間等の駆動時間を長くすることができる。
【００５６】
以上説明したように、本第３実施形態によれば、携帯型電子機器の出し入れが容易であり且つ携帯型電子機器の具備する表示部を保護する機能を有する携帯型電子機器の保護ケースを提供することができる。
【００５７】
さらに、本第３実施形態に係る携帯型電子機器の保護ケースによれば、上記カメラ１０を収納したままの状態で、上記カメラ１０を用いた撮影を行うことができる。また、撮影時のカメラの構えやすさも考慮に入れた構造となっている為、ユーザーは使い勝手良く撮影を行うことができる。
【００５８】
さらに、上記折り返し部１２ｂに上記外部電源１１ａ及び上記電極１１ｂを装着することができる為、上記電極１１ｂを介して上記外部電源１１ａによって上記カメラ１０に電力を供給することができ、上記カメラ１０の駆動時間を長くすることができる。
【００５９】
［第４実施形態］
本第４実施形態に係る携帯型電子機器の保護ケースのシステム構成は、図１を参照して説明した上記第１実施形態に係る携帯型電子機器の保護ケースのシステム構成と同様である。しかしながら、上記第１実施形態乃至上記第３実施形態に係る携帯型電子機器の保護ケースと、本第４実施形態に係る携帯型電子機器の保護ケースとは、その構造が異なる。
【００６０】
以下、図５（ａ）及び（ｂ）を参照して、本第４実施形態に係る携帯型電子機器の保護ケースを説明する。ここで、図５（ａ）及び（ｂ）は、正置時における本第４実施形態に係る携帯型電子機器の保護ケース１２を上面側から見た場合の断面図である。なお、上記第１実施形態乃至上記第３実施形態に係る携帯型電子機器の保護ケースにおける構成部材と同様の構成部材に関しては、同様の名称及び符号を付して説明を省略する。
【００６１】
本第４実施形態に係る携帯型電子機器の保護ケース１２は、図５（ａ）及び（ｂ）に示すように、蓋部１２ａと、折り返し部１２ｂと、連動部材１２ｃと、クリーニング部材１４とを具備する。
【００６２】
ここで、上記連動部材１２ｃは帯状の部材であって、その一端は、図５（ａ）に示すように上記折り返し部材１２ｂにおける所定の箇所と、例えば接着材等によって接着されている。そして、上記連動部材１２ｃにおける他端（上記折り返し部材１２ｂに接着されていない側の端）には、上記クリーニング部材１４が設けられている。
【００６３】
なお、上記クリーニング部材１４の大きさ（上記表示手段８に接触する面の大きさ）は、上記表示手段８に付着した汚れをムラなく拭き取るのに十分な大きさとなっている。また、上記連動部材１２ｃは、上記クリーニング部材１４の大きさに対応した大きさとなっている。
【００６４】
ところで、背面部１２Ｂは、図５（ａ）及び（ｂ）に示すように、上記連動部材１２ｃ及び上記クリーニング部材１４が当該背面部１２Ｂの内部を矢印１１５及び矢印１１７で示す方向に関して移動自在であるように構成されている。
【００６５】
このような構造により、上記折り返し部１２ｂが当該携帯型電子機器の保護ケース１２の前面部１２Ａ側に折り返されるのに連動して、上記連動部材１２ｃ及び上記クリーニング部材１４が上記背面部１２Ｂの内部において、図５（ａ）に矢印１１５で示す方向に引っ張られる（図５（ｂ）に示す状態→図５（ａ）に示す状態）。このとき、上記表示手段８は、上記クリーニング部材１４によってクリーニングされる。
【００６６】
また逆に、図５（ａ）に示す状態において、上記折り返し部１２ｂを前面部１２Ａ側から外し且つ上記蓋部１２ａを開くことで、上記連動部材１２ｃ及び上記クリーニング部材１４が上記背面部１２Ｂの内部において、図５（ｂ）に矢印１１７で示す方向に引っ張られる（図５（ａ）に示す状態→図５（ｂ）に示す状態）。この過程においても、上記表示手段８は、上記クリーニング部材１４によってクリーニングされる。
【００６７】
なお、上記折り返し部１２ｂが上記前面部１２Ａ側に折り返されている状態（図５（ａ）に示す状態）以外の場合には、例えばゴム（不図示）等を利用することで、上記連動部材１２ｃが、矢印１１７の方向に引っ張られている状態となるようにする。
【００６８】
以上説明したように、本第４実施形態によれば、携帯型電子機器の出し入れが容易であり且つ携帯型電子機器の具備する表示部のクリーニング機能を有する携帯型電子機器の保護ケースを提供することができる。
【００６９】
［第５実施形態］
従来、カメラは単に撮影を行う為の道具として用いられることが多かった。したがって、図６（ａ）に示すように撮影時の握りやすさ及び構えやすさを重視した形状を採るカメラの保護ケース１２が主流であった。
【００７０】
しかしながら、近年デジタル化によって、カメラは単に撮影を行うだけではなく、撮影して取得した画像の再生装置としても用いられるようになった。したがって、カメラの形状に関しては、画像再生時の持ちやすさをも考慮する必要がでてきた。このような事情を鑑みた場合、図６（ｂ）に示すように本やアルバム等のようなフラットな形状を採るカメラ１０が考えられる。
【００７１】
そして、撮影時の握りやすさ及び構えやすさと、画像再生時の持ちやすさとの双方共を満たす形状としたのが、図４を参照して説明した上記第３実施形態に係る携帯型電子機器の保護ケースである。
【００７２】
ところで、近年のカメラは、画像圧縮技術の進歩やメモリ容量の増加に伴って、静止画撮影のみならず、動画撮影も可能であるものが多い。ここで、動画撮影を行う場合には、ユーザーは、長時間安定して当該カメラを構え続けることが要求される。このような場合、図６（ｃ）に示すように、ユーザーは、両手を用いて当該カメラを構えることが好ましい。
【００７３】
つまり、図６（ｃ）に示すように、当該カメラを収納する携帯型電子機器の保護ケース１２の形状は、ユーザーが左右の手でしっかり握れるように、二つのグリップ状の部材を設けた形状とするのがよい。このような形状とすることで、動画撮影にも適した形状の携帯型電子機器の保護ケースとすることができる。
【００７４】
なお、動画撮影は、運動会やスポーツ競技等を撮影する場合に行われることが多い。したがって、撮影に用いるカメラの具備する液晶ディスプレイ等の表示手段には太陽光が照射されることが多く、ユーザーにとって上記表示手段の視認性が悪くなる場合が多い。
【００７５】
すなわち、液晶ディスプレイの多くはその背面から光（バックライト）を照射して像を浮き上がらせるタイプであるので、このバックライトよりも強い光が当該液晶ディスプレイに入射してくると、急激にその視認性が低下する。また、撮影時においては、カメラと被写体との位置関係の制約から、上記表示手段に太陽光が入射しないように当該カメラの向きを自由に変更することができない。
【００７６】
このような事情に鑑みて、当該携帯型電子機器の保護ケース１２に、図６（ｃ）に示すようにフード部１２ｇを設けることで、屋外での撮影時において上記表示手段に太陽光が照射して上記表示手段の視認性が悪くなるのを防止してもよい。これにより、太陽光が照射している屋外での撮影であっても、上記表示手段８は、図８に示すように上記フード部１２ｇによって太陽光の入射が防止され、視認性の低下を防ぐことができる。
【００７７】
以下、図７（ａ）乃至（ｃ）を参照して、動画撮影及び屋外での撮影を考慮して提案された、本第５実施形態に係る携帯型電子機器の保護ケースを説明する。ここで、図７（ａ）乃至（ｃ）は、正置時における本第５実施形態に係る携帯型電子機器の保護ケース１２を上面側から見た場合の断面図である。また、図７（ｂ）及び（ｃ）は、本第５実施形態に係る携帯型電子機器の保護ケース１２におけるフード部１２ｇを説明する図である。なお、上記第１実施形態乃至上記第４実施形態に係る携帯型電子機器の保護ケースにおける構成部材と同様の構成部材に関しては、同様の名称及び符号を付して説明を省略する。
【００７８】
まず、本第５実施形態に係る携帯型電子機器の保護ケース１２は、図７（ａ）に示すように、補助メモリ７ｂと、外部電源１１ａと、折り返し部１２ｂと、フード部１２ｇと、支持部１２ｈと、グリップ部１２ｆとを具備する。
【００７９】
ここで、上記フード部１２ｇは、図７（ｂ）に示すように、２つの支持部１２ｈによって、背面部１２Ｂに対して垂直な状態で支持される。ここで、上記支持部１２ｈは、図７（ａ）乃至（ｃ）に示すように、上記背面部１２Ｂのける観察用開口部１２Ｄの近傍に設けられており、上記フード部１２ｇを上記背面部１２Ｂに対して垂直な状態で支持する為の部材である。
【００８０】
なお、ユーザーが上記表示手段８を観察する場合以外には、図７（ｃ）に示すように矢印１３０の方向へ、上記フード部１２ｇを上記背面部１２Ｂに対して並行になるまで押し下げることで、上記支持部１２ｈは折り畳まれる。ここで、図７（ｃ）に示す状態は、上記表示手段８が上記フード部１２ｇによって保護されている状態である。
【００８１】
一方、上記フード部１２ｇを、図７（ｂ）において矢印１２０で示す方向に持ち上げ、上記支持部１２ｈによって上記背面部１２Ｂに対して垂直な状態で保持することで、再び上記表示手段８に太陽光を入射させない為のフードとすることができる。
【００８２】
さらに、図７（ａ）に示すように、本第５実施形態に係る携帯型電子機器の保護ケース１２は、折り返し部１２ｂとグリップ部１２ｆとによって、ユーザーが左右の手でしっかり握れるような形状となっている。さらに、上記折り返し部１２ｂには外部電源１１ａを収納することができ、上記グリップ部１２ｆには補助メモリ７ｂを収納することが可能となっている。
【００８３】
以上説明したように、本第５実施形態によれば、以下のような効果を奏する携帯型電子機器の保護ケースを提供することができる。
【００８４】
まず、上記フード部１２ｇによって、屋外での撮影の際に当該携帯型電子機器の保護ケース１２に収納したカメラ１０の上記表示手段８に、太陽光を入射させないことができる。したがって、屋外での撮影の際にも、上記表示手段８の視認性が低下することはない。
【００８５】
また、上記折り返し部１２ｂ及び上記グリップ部１２ｆによって、動画撮影等の際に、ユーザーは、長時間安定して当該カメラを構え続けることができる。
【００８６】
さらに、上記折り返し部１２ｂに収納された上記外部電源１１ａによって、上記カメラ１０をより長時間駆動させることができる。また、上記グリップ部１２ｆに収納された上記補助メモリ７ｂによって、より大量の画像データの記録が可能となる。
【００８７】
なお、上記フード部１２ｇ及び上記グリップ部１２ｆは、メタル材質等の固い材質を加工してカメラ本体に設けるよりも、合成皮革やシリコン素材等の適度な柔らかさを有する材質を加工して上記携帯型電子機器の保護ケース１２に設けるほうが、壊れにくく且つユーザーの手になじみやすい優れた質感とすることができる。
【００８８】
［第１変形例］
以下、図９を参照して、上記第５実施形態に係る携帯型電子機器の保護ケースの第１変形例を説明する。ここで、図９は、背面部１２Ｂ側から見た本第１変形例に係る携帯型電子機器の保護ケース１２を示す図である。
【００８９】
本第１変形例に係る携帯型電子機器の保護ケース１２は、図９に示すように、外部電源１１ａと、フード部１２ｇと、支持部１２ｈと、上記フード部１２ｇに設けられた固定部材１２ｇａと、上記背面部１２Ｂに設けられた固定部材１２ｇｂと、スイッチ７０と、当該携帯型電子機器の保護ケース１２内部に設けられた形状記憶合金９０と、上記形状記憶合金９０に通電する為の制御部８０と、を具備する。
【００９０】
まず、上記スイッチ７０がＯＮされると、上記制御部８０によって上記形状記憶合金９０が通電状態にされる。そして、上記形状記憶合金９０は、所定温度以上になると図９に示すような形状となり、上記フード部１２ｇが上記背面部１２Ｂに対して垂直な状態となる。このとき、上記フード部１２ｇは、図９に示すように上記支持部１２ｈによって上記背面部１２Ｂに対して垂直な状態が保持される。
【００９１】
この後、上記フード部１２ｇを再び収納状態に戻すには、ユーザーが手で上記フード部１２ｇを矢印２００で示す方向に押し下げればよい。このとき、上記支持部１２ｈは、当該携帯型電子機器の保護ケース１２の内側に折り畳まれる。なお、上記支持部１２ｈには、このように折り畳み可能なように、折れ目１２ｈａが形成されている。
【００９２】
さらに、上記フード部１２ｇにおける所定の箇所には、図９に示すように上記固定部材１２ｇａが設けられている。そして、収納状態（上記背面部１２Ｂに対して並行な状態）の上記フード部１２ｇにおける上記固定部材１２ｇａに対向する箇所（上記背面部１２Ｂ）には、上記固定部材１２ｇｂが設けられている。ここで、上記固定部材１２ｇａ及び上記固定部材１２ｇｂは、互いに吸着し合う部材、例えばマジックテープ、或いは永久磁石と鉄片等で形成されている。したがって、上記フード部１２ｇが収納状態となっている場合には、上記固定部材１２ｇａと上記固定部材１２ｇｂとが互いに吸着し合う状態となっている。
【００９３】
以上説明したように、本第２変形例によれば、上記第５実施形態に係る携帯型電子機器の保護ケースと同様の効果を奏する携帯型電子機器の保護ケースを提供することができる。
【００９４】
［第２変形例］
以下、図１０（ａ）及び（ｂ）を参照して、上記第５実施形態に係る携帯型電子機器の保護ケースの第２変形例を説明する。ここで、図１０（ａ）は、背面部１２Ｂ側から見た本第２変形例に係る携帯型電子機器の保護ケース１２を示す図である。図１０（ｂ）は、本第２変形例に係る携帯型電子機器の保護ケース１２の側面図である。
【００９５】
本第２変形例に係る携帯型電子機器の保護ケースは、図１０（ａ）及び（ｂ）に示すように、上記フード部１２ｇのうち上記表示手段８と接触する面に、クリーニング部材１４が設けられている。ここで、上記フード部１２ｇは、適当な柔軟性を有する素材で形成されている為、図１０（ｂ）に示すように折り曲げることができる。したがって、ユーザーは、上記クリーニング部材１４によって、上記表示手段８における所望の箇所の汚れを拭き取ることができる。
【００９６】
以上説明したように、本第２変形例によれば、上記第５実施形態に係る携帯型電子機器の保護ケースと同様の効果を奏する上に、携帯型電子機器の具備する表示部のクリーニング機能を有する携帯型電子機器の保護ケースを提供することができる。
【００９７】
［第６実施形態］
本第６実施形態に係る携帯型電子機器の保護ケースのシステム構成は、図１を参照して説明した上記第１実施形態に係る携帯型電子機器の保護ケースのシステム構成と同様である。しかしながら、上記第１実施形態乃至上記第５実施形態に係る携帯型電子機器の保護ケースと、本第６実施形態に係る携帯型電子機器の保護ケースとは、その構造が異なる。
【００９８】
以下、図１１（ａ）乃至（ｃ）を参照して、本第６実施形態に係る携帯型電子機器の保護ケースを説明する。ここで、図１１（ａ）は、背面部１２Ｂ側から見た本第６実施形態に係る携帯型電子機器の保護ケース１２を示す図である。図１１（ｂ）は、後述する窓部材１５を示す図である。図１１（ｃ）は、正置時における本第６実施形態に係る携帯型電子機器の保護ケース１２を上面側から見た場合の断面図である。
【００９９】
なお、上記第１実施形態乃至上記第５実施形態に係る携帯型電子機器の保護ケースにおける構成部材と同様の構成部材に関しては、同様の名称及び符号を付して説明を省略する。
【０１００】
本第６実施形態に係る携帯型電子機器の保護ケース１２には、図１１（ａ）及び（ｃ）に示すように上記表示手段８を露出／保護自在なように、観察用開口部１２Ｄに対して、シャッター式の窓部材１５が設けられている。ここで、上記表示手段８を露出させる場合には、上記窓部材１５は、図１１（ｃ）に示すように、当該携帯型電子機器の保護ケース１２の内壁に沿って湾曲しながら当該携帯型電子機器の保護ケース１２内に収納される。
【０１０１】
ところで、上記窓部材１５は、当該携帯型電子機器の保護ケース１２と同様、例えば合成皮革や樹脂シート等の柔軟性を有する素材で形成されている。さらに、上記窓部材１５における所定の箇所（図１１（ａ）乃至（ｃ）に示す例では、上記窓部材１５のうちつまみ部１５ａが設けられている箇所の裏側）には、図１１（ｂ）に示すようにクリーニング部材１４が設けられている。このような構造により、上記窓部材１５による上記表示手段８の露出／保護状態の切り換えに伴って、上記表示手段８に付着した汚れは、上記クリーニング部材１４によって拭き取られる。
【０１０２】
以上説明したように、本第６実施形態によれば、携帯型電子機器の出し入れが容易であり且つ携帯型電子機器の具備する表示部のクリーニング機能を有する携帯型電子機器の保護ケースを提供することができる。
【０１０３】
［第７実施形態］
本第７実施形態に係る携帯型電子機器の保護ケースのシステム構成は、図１を参照して説明した上記第１実施形態に係る携帯型電子機器の保護ケースのシステム構成と同様である。しかしながら、上記第１実施形態乃至上記第６実施形態に係る携帯型電子機器の保護ケースと、本第７実施形態に係る携帯型電子機器の保護ケースとは、その構造が異なる。本第７実施形態に係る携帯型電子機器の保護ケースは、収納するカメラの表示手段を用いた画像鑑賞時の利便性を特に高めた携帯型電子機器の保護ケースである。
【０１０４】
以下、図１２を参照して、本第７実施形態に係る携帯型電子機器の保護ケースを説明する。ここで、図１２は、背面部１２Ｂ側から見た本第７実施形態に係る携帯型電子機器の保護ケース１２を示す図である。なお、上記第１実施形態乃至上記第６実施形態に係る携帯型電子機器の保護ケースにおける構成部材と同様の構成部材に関しては、同様の名称及び符号を付して説明を省略する。
【０１０５】
本第７実施形態に係る携帯型電子機器の保護ケース１２は、図１２に示すように、蓋部１２ａと、折り返し部１２ｂと、クリーニング部材１４と、ルーペ状レンズ部１６と、穴部１７とを具備する。
【０１０６】
上記ルーペ状レンズ部１６は、背面部１２Ｂに設けられた観察用開口部１２Ｄに覆い被さるように設けられている。上記ルーペ状レンズ部１６によって、ユーザーは、カメラ１０の表示手段８に再生表示される画像を拡大して観察することができる。
【０１０７】
また、上記穴部１７は、当該携帯型電子機器の保護ケース１２に収納されたカメラ１０の電源スイッチ１ｃに対向する箇所に設けられている。したがって、当該携帯型電子機器の保護ケース１２にカメラ１０を収納したままの状態で、上記穴部１７から露出している上記電源スイッチ１ｃの操作を行うことができる。また、図示はしていないが、再生モード時において各種操作に使用するスイッチに対向する箇所にも穴部を設けることで、カメラ１０を当該携帯型電子機器の保護ケース１２に収納した状態のまま、表示手段８における再生画像の鑑賞を楽しむことができる。
【０１０８】
なお、カメラ１０を当該携帯型電子機器の保護ケース１２に出し入れする際には、上記第３実施形態に係る携帯型電子機器の保護ケースと同様に、上記蓋部１２ａに設けられた上記クリーニング部材１４によって、上記表示手段８に付着した汚れが拭き取られるのは勿論である。
【０１０９】
以上説明したように、本第７実施形態によれば、上記第３実施形態に係る携帯型電子機器の保護ケースと同様の効果を奏する上に、以下のような効果を奏する携帯型電子機器の保護ケースを提供することができる。
【０１１０】
まず、本第７実施形態に係る携帯型電子機器の保護ケースによれば、ユーザーは、上記ルーペ状レンズ部１６によって、上記カメラ１０の上記表示手段８に再生表示される画像を拡大して観察することができる。さらに、上記穴部１７及び上記の不図示の穴部によって、上記カメラ１０を当該携帯型電子機器の保護ケース１２に収納した状態のまま、再生モード時における上記カメラ１０の各種操作を行うことができる。
【０１１１】
また、本第７実施形態に係る携帯型電子機器の保護ケース１２では、再生モードに関連するスイッチのみ、当該携帯型電子機器の保護ケース１２から露出させているので、ユーザーによるスイッチの押し間違いによる誤操作を減らすことができる。
【０１１２】
なお、近年、カメラの機能の複雑化及びカメラ本体の小型化が進む中、カメラ本体に設けられるスイッチは、個数が増え且つ小型化していく傾向がある。このような傾向に対して、本第７実施形態に係る携帯型電子機器の保護ケース１２のように、必要とされるスイッチのみを当該携帯型電子機器の保護ケース１２から露出させることで、より操作性及び利便性を高めることができる。
【０１１３】
［第８実施形態］
近年、タッチパネル式の表示手段を具備するカメラが多数発売されている。このようなカメラの場合、上記表示手段は、ユーザーによって指で触られることが多く、ユーザーの指紋等によって汚れてしまうことが多い。
【０１１４】
本第８実施形態に係る携帯型電子機器の保護ケースは、上記のような事情に鑑みて提案されたものである。ここで、本第８実施形態に係る携帯型電子機器の保護ケースのシステム構成は、図１を参照して説明した上記第１実施形態に係る携帯型電子機器の保護ケースのシステム構成と同様である。しかしながら、上記第１実施形態乃至上記第７実施形態に係る携帯型電子機器の保護ケースと、本第８実施形態に係る携帯型電子機器の保護ケースとは、その構造が異なる。
【０１１５】
以下、図１３（ａ），（ｂ）を参照して、本第８実施形態に係る携帯型電子機器の保護ケースを説明する。ここで、図１３（ａ）は、背面部１２Ｂ側から見た本第８実施形態に係る携帯型電子機器の保護ケース１２を示す図である。図１３（ｂ）は、クリーニング部材１４を用いてユーザーが指の汚れを落とす様子を示す図である。なお、上記第１実施形態乃至上記第７実施形態に係る携帯型電子機器の保護ケースにおける構成部材と同様の構成部材に関しては、同様の名称及び符号を付して説明を省略する。
【０１１６】
本第８実施形態に係る携帯型電子機器の保護ケース１２には、図１３（ａ）及び（ｂ）に示すように、観察用開口部１２Ｄの隣接部に、ユーザーが指の汚れを落とす為のクリーニング部材１４が設けられている。したがって、ユーザーは、上記表示手段８に触れる前に、図１３（ｂ）に示すように、上記クリーニング部材１４によって指の汚れを落とすことができる。なお、上記クリーニング部材１４は、当該携帯型電子機器の保護ケース１２に対して、例えばマジックテープ（不図示）等によって取り外し可能に設けてもよい。
【０１１７】
以上説明したように、本第８実施形態によれば、当該携帯型電子機器の保護ケース１２に収納するタッチパネル式の上記表示手段８の汚れを最小限に抑えることが可能な携帯型電子機器の保護ケースを提供することができる。
【０１１８】
［第１変形例］
なお、上記第８実施形態に係る携帯型電子機器の保護ケースの第１変形例として、上記クリーニング部材１４の代わりに、例えば両面テープ等によって、市販の脂とり紙等を貼付けられるような構成の携帯型電子機器の保護ケースも考えられる。
【０１１９】
［第２変形例］
以下、図１４（ａ）及び（ｂ）を参照して、上記第８実施形態に係る携帯型電子機器の保護ケースの第２変形例を説明する。ここで、図１４（ａ）及び（ｂ）は、本第２変形例に係る携帯型電子機器の保護ケース１２の側面断面図である。
【０１２０】
本第２変形例に係る携帯型電子機器の保護ケースには、図１４（ａ）及び（ｂ）に示すように、上記クリーニング部材１４自体が汚れるのを防ぐ為に、シャッター式のクリーニング部材保護部１４ａが更に設けられている。ここで、上記クリーニング部材保護部１４ａは、当該携帯型電子機器の保護ケース１２と同様、例えば合成皮革や樹脂シート等の柔軟性を有する素材で形成されている。
【０１２１】
そして、図１４（ａ）及び（ｂ）に示すように、上記クリーニング部材保護部１４ａは、当該携帯型電子機器の保護ケース１２の内壁に沿って湾曲しながら、当該携帯型電子機器の保護ケース１２の内部に収納される。したがって、図１４（ａ）に示す上記クリーニング部材１４を保護する状態と、図１４（ｂ）に示す上記クリーニング部材１４を露出する状態とを容易に切り換えることができる。
【０１２２】
具体的には、上記クリーニング部材１４を保護する際には、上記クリーニング部材保護部１４ａは、図１４（ａ）に示すように上記クリーニング部材１４に覆い被さるような位置まで、当該携帯型電子機器の保護ケース１２の中から引き出される。一方、上記クリーニング部材１４を露出する際には、上記クリーニング部材保護部１４ａは、図１４（ｂ）に示すように当該携帯型電子機器の保護ケース１２の内部に収納される。
【０１２３】
以上説明したように、本第２変形例によれば、上記第８実施形態に係る携帯型電子機器の保護ケースと同様の効果を奏する上に、上記クリーニング部材１４が塵や埃等によって汚れてしまうのを防ぐことができる携帯型電子機器の保護ケースを提供することができる。
【０１２４】
［第３変形例］
以下、図１５を参照して、上記第８実施形態に係る携帯型電子機器の保護ケースの第３変形例を説明する。ここで、図１５は、背面部１２Ｂ側から見た本第３変形例に係る携帯型電子機器の保護ケース１２を示す図である。
【０１２５】
本第３変形例においては、上記クリーニング部材１４自体が汚れるのを防ぐ為に、図１５に示すように当該携帯型電子機器の保護ケース１２に，開閉式のクリーニング部材保護部１４ａを形成する。ここで、図１５に示す状態は、上記クリーニング部材１４を露出する為に上記クリーニング部材保護部１４ａが開かれている状態である。上記クリーニング部材１４を保護する為には、上記クリーニング部材保護部１４ａを、上記背面部１２Ｂに対して並行な状態となるまで押し下げればよい。
【０１２６】
以上説明したように、本第３変形例によれば、上記第８実施形態に係る携帯型電子機器の保護ケースと同様の効果を奏する上に、上記クリーニング部材１４が塵や埃等によって汚れてしまうのを防ぐことができる携帯型電子機器の保護ケースを提供することができる。
【０１２７】
［第９実施形態］
以下、図１６（ａ），（ｂ）を参照して、本第９実施形態に係る携帯型電子機器の保護ケースを説明する。ここで、図１６（ａ）は、本第９実施形態に係る携帯型電子機器の保護ケースの外観を概略的に示す図である。また、図１６（ｂ）は、本第９実施形態に係る携帯型電子機器の保護ケースのシステム構成を示す図である。なお、上記第１実施形態乃至上記第８実施形態に係る携帯型電子機器の保護ケースにおける構成部材と同様の構成部材に関しては、同様の名称及び符号を付して説明を省略する。
【０１２８】
まず、図１６（ｂ）に示すように、本第９実施形態に係る携帯型電子機器の保護ケースは、外部電源１１ａと、発光制御回路５０と、スイッチ５１と、発光体５２と、反射コート５６が設けられた発光板５４とを具備している。一方、当該携帯型電子機器の保護ケース１２に収納するカメラ１０は、図１６（ｂ）に示すように、光触媒（ＴｉＯ２）８Ｂがコートされた表示窓８Ａを具備する。ユーザーは、上記表示窓８Ａを介して上記表示手段８を観察する。
【０１２９】
上記発光体５２は、上記光触媒が作用する波長の光を発生する光源である。上記発光制御回路５０は、ユーザーによる上記スイッチ５１の押操作に応じて、上記発光体５２の発光を制御する。上記発光体５２が発した光は、上記反射板５４における上記反射コート５６によって反射及び拡散されて、上記光触媒８Ｂがコートされた上記表示窓８Ａに照射される。
【０１３０】
このように、上記発光体５２が発する光が上記表示窓８Ａに照射されると、上記表示窓８Ａにコートされている上記光触媒８Ｂの作用によって、上記表示窓８Ａに付着している汚れ及び塵埃等が除去される。これにより、上記表示手段８の視認性は向上する。
【０１３１】
以上説明したように、本第９実施形態によれば、携帯型電子機器の出し入れが容易であり且つ携帯型電子機器の具備する表示部のクリーニング機能を有する携帯型電子機器の保護ケースを提供することができる。
【０１３２】
以上、第１実施形態乃至第９実施形態に基づいて本発明を説明したが、本発明は上述した実施形態に限定されるものではなく、本発明の要旨の範囲内で種々の変形及び応用が可能なことは勿論である。
【０１３３】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１３４】
【図１】本発明の第１実施形態に係る携帯型電子機器の保護ケースのシステム構成、及び本発明の第１実施形態に係る携帯型電子機器の保護ケースに収納するカメラのシステム構成を示すブロック図。
【図２】（ａ）は、本発明の第１実施形態に係る携帯型電子機器の保護ケースに、カメラを収納する様子を示す図。（ｂ）及び（ｃ）は、正置時における本発明の第１実施形態に係る携帯型電子機器の保護ケースを上面側から見た場合の断面図。
【図３】（ａ）は、本発明の第２実施形態に係る携帯型電子機器の保護ケースの外観、及び本発明の第２実施形態に係る携帯型電子機器の保護ケースに収納するカメラの外観を示す図。（ｂ）及び（ｃ）は、正置時における本発明の第２実施形態に係る携帯型電子機器の保護ケースを上面側から見た場合の断面図。
【図４】正置時における本発明の第３実施形態に係る携帯型電子機器の保護ケースを上面側から見た場合の断面図。
【図５】（ａ）及び（ｂ）は、正置時における本発明の第４実施形態に係る携帯型電子機器の保護ケースを上面側から見た場合の断面図。
【図６】（ａ）は、撮影時に握りやすく且つ構えやすい形状の従来のカメラケースを示す図。（ｂ）は、ユーザーによる表示手段の観察のしやすさを考慮したフラットな形状のカメラを示す図。（ｃ）は、ユーザーが左右の手でしっかり握れるように二つのグリップを設けた形状とし、且つ屋外での撮影時において表示手段に太陽光が照射するのを防止する為にフードを設けた携帯型電子機器の保護ケースを示す図。
【図７】（ａ）は、正置時における本発明の第５実施形態に係る携帯型電子機器の保護ケースを上面側から見た場合の断面図。（ｂ）及び（ｃ）は、本発明の第５実施形態に係る携帯型電子機器の保護ケースが具備するフードを説明する図。
【図８】太陽光が照射している屋外での撮影時に、携帯型電子機器の保護ケースが具備するフードによって、当該携帯型電子機器の保護ケースに収納したカメラの具備する表示手段への太陽光の照射を防止している様子を示す図。
【図９】本発明の第５実施形態の第１変形例に係る携帯型電子機器の保護ケースを背面側から見た外観を示す図。
【図１０】（ａ）は、本発明の第５実施形態の第２変形例に係る携帯型電子機器の保護ケースを背面側から見た外観を示す図。（ｂ）は、本発明の第５実施形態の第２変形例に係る携帯型電子機器の保護ケースの側面図。
【図１１】（ａ）は、本発明の第６実施形態に係る携帯型電子機器の保護ケースを背面側から見た外観を示す図。（ｂ）は、本発明の第６実施形態に係る携帯型電子機器の保護ケースが具備する窓部材を示す図。（ｃ）は、正置時における本発明の第６実施形態に係る携帯型電子機器の保護ケースを上面側から見た場合の断面図。
【図１２】本発明の第７実施形態に係る携帯型電子機器の保護ケースを背面側から見た外観を示す図。
【図１３】（ａ）は、本発明の第８実施形態に係る携帯型電子機器の保護ケースを背面側から見た外観を示す図。（ｂ）は、クリーニング部材１４を用いてユーザーが指の汚れを落とす様子を示す図。
【図１４】（ａ）及び（ｂ）は、本発明の第８実施形態の第２変形例に係る携帯型電子機器の保護ケースの側面断面図。
【図１５】本発明の第８実施形態の第３変形例に係る携帯型電子機器の保護ケースを背面側から見た外観を示す図。
【図１６】（ａ）は、本発明の第９実施形態に係る携帯型電子機器の保護ケースの外観を概略的に示す図。（ｂ）は、本発明の第９実施形態に係る携帯型電子機器の保護ケースのシステム構成を示す図。
【符号の説明】
【０１３５】
７ｂ…補助メモリ、  ８…表示手段、  １１ａ…外部電源、  １２…携帯型電子機器の保護ケース、  １２ａ…蓋部、  １２ｂ…折り返し部材、  １２ｃ…連動部材、  １２ｆ…グリップ部、  １２ｇ…フード部、  １２ｇａ…固定部材、  １２ｇｂ…固定部材、  １２ｈ…支持部、  １２Ａ…前面部、  １２Ｂ…背面部、  １２Ｃ…撮影用開口部、  １２Ｄ…観察用開口部、  １４…クリーニング部材、  １４ａ…クリーニング部材保護部、  １４ｂ…シャッター部、  １４ｃ…グリップ部、  １５…窓部材、  １６…ルーペ状レンズ部、  １７…穴部、  ７０…スイッチ、  ８０…制御部、  ９０…形状記憶合金、  １４０…マジックテープ。
【図１】
2008042337.tif 000003
【図２】
2008042337.tif 000004
【図３】
2008042337.tif 000005
【図４】
2008042337.tif 000006
【図５】
2008042337.tif 000007
【図６】
2008042337.tif 000008
【図７】
2008042337.tif 000009
【図８】
2008042337.tif 000010
【図９】
2008042337.tif 000011
【図１０】
2008042337.tif 000012
【図１１】
2008042337.tif 000013
【図１２】
2008042337.tif 000014
【図１３】
2008042337.tif 000015
【図１４】
2008042337.tif 000016
【図１５】
2008042337.tif 000017
【図１６】
2008042337.tif 000018